(57)【要約】【課題】  電気浸透液の浸透現象を利用した表示装置において、より高いコントラストで表示を行うようにする。【解決手段】  透明材料からなり、黒色に着色された電気浸透液Ｌ１が内部の孔に浸透可能な透明多孔質層１０に対して、電位差付与部３５により、表電極３１ａと裏電極３１ｂの間に電位差を付与して電気浸透液Ｌ１に電気力を作用させて、透明多孔質層１０内において電気浸透液Ｌ１を透明多孔質層１０の厚さ方向に移動させ、透明多孔質層１０の表示面側１０ａに電気浸透液Ｌ１が集中しているときに、装置１０１の表示面において電気浸透液Ｌ１の色である黒色が表示され、透明多孔質層１０の非表示面側１０ｂに電気浸透液Ｌ１が集中しているときに、装置１０１の表示面において透明多孔質層１０の表示面１０ａ側における照明光Ｌａの散乱に起因する白色が表示されるようにする。【選択図】          図１
2005115052.tif 000002
【特許請求の範囲】
【請求項１】
有色の電気浸透液と、該電気浸透液と異なる色の材料からなり、前記電気浸透液が内部の孔に浸透可能な多孔質層と、前記電気浸透液に電気力を作用させて、前記多孔質層内において前記電気浸透液を前記多孔質層の厚さ方向もしくは該厚さ方向と直交する面方向に移動させる浸透液移動手段とを備え、
前記多孔質層の表示面側の前記電気浸透液が集中している部分では前記多孔質層が前記電気浸透液に基づく色に表示され、前記多孔質層の表示面側の前記電気浸透液が集中していない部分では前記多孔質層が前記多孔質層に基づく色に表示されることを特徴とする表示装置。
【請求項２】
前記多孔質層の孔の孔径が、０．１μｍ以上、１０μｍ以下であることを特徴とする請求項１記載の表示装置。
【請求項３】
前記多孔質層の厚さが、１０μｍ以上、２００μｍ以下であることを特徴とする請求項１または２記載の表示装置。
【請求項４】
前記多孔質層が、ニトロセルロース、アセチルセルロース、酢酸セルロース、塩化ビニル、ポリプロピレン、ポリアミド、ポリテトラフルオロエチレン、ポリオレフィン、ポリスルフォン、ガラス、あるいはアルミナからなるものであることを特徴とする請求項１から３のいずれか１項記載の表示装置。
【請求項５】
前記多孔質層が、セルロース系材料、樹脂材料、磁器材料、およびガラス材料のうちのいずれか２つ以上を組み合わせた混合物からなるものであることを特徴とする請求項１から３のいずれか１項記載の表示装置。
【請求項６】
前記多孔質層が、前記多孔質層の前記面方向における互いに異なる位置間で前記電気浸透液の移動が行えないように構成され、前記互いに異なる位置に対して互いに異なる色の前記電気浸透液が浸透されていることを特徴とする請求項１から５のいずれか１項記載の表示装置。
【請求項７】
前記浸透液移動手段が、前記多孔質層の表裏両面のそれぞれに配置された電極と、該表裏両面に配置された電極間に電位差を与える電位差付与部とからなるものであることを特徴とする請求項１から６のいずれか１項記載の表示装置。
【請求項８】
前記浸透液移動手段が、前記多孔質層の前記面方向における互いに異なる位置に存在する電気浸透液に対して前記厚さ方向に互いに異なる大きさの電気力を作用させることが可能なものであることを特徴とする請求項１から７のいずれか１項記載の表示装置。
【発明の詳細な説明】
【技術分野】
【０００１】
本発明は表示装置に関し、詳しくは、電気浸透液の浸透現象を利用した表示装置に関するものである。
【背景技術】
【０００２】
従来より、電位差を与えた多孔質体へ電気浸透液が浸透する電気浸透現象を利用して、上記多孔質体に入射した光が反射、屈折あるいは散乱する状態等を変化させて表示を行う表示装置が知られている。このような表示装置として、例えば、図７（ａ）、（ｂ）に示すように、表示面となる表面側に多数の凹部８１が形成され、電気浸透液が内部の孔に浸透可能で透明な多孔質板８２の、表面側に遮光板を兼用する表電極８３ａ、裏面側に透明電極からなる裏電極８３ｂとを配置した表示装置が知られている（特許文献１参照）。この表示装置は、上記電極間に電位差を与えてこの多孔質板８２の厚さ方向に電界を形成することにより、表電極８３ａの側に電気浸透液Ｌ５を浸透させて各凹部８１によって囲まれる各凹空間８４内に電気浸透液Ｌ５を満たしたり（図７（ａ）参照）、裏電極８３ｂの側に電気浸透液Ｌ５を浸透させて上記凹空間８４から電気浸透液Ｌ５を排出したりして（図７（ｂ）参照）、この凹空間８４へ表電極８３ａの側あるいは裏電極８３ｂの側から入射する光Ｌｅの反射、屈折あるいは散乱状態を変化させて表示を行うものである。
【特許文献１】特開昭５５−７０８２０号公報
【発明の開示】
【発明が解決しようとする課題】
【０００３】
しかしながら、上記表示装置は、多孔質板８２の多孔質体が存在しない凹空間８４においては上記電気浸透現象が生じないので、凹空間８４に電気浸透液Ｌ５が十分に満たされなかったり、あるいは上記凹空間８４からの電気浸透液Ｌ５の排出が不十分になったりして上記凹空間８４に入射する光Ｌｅの反射、屈折あるいは散乱状態の変化が少なくなることがある。また、遮光板を兼用する表電極８３ａ等が配置されている凹部８１が形成されていない領域に入射する光は表示に利用されることがないので、上記のような装置では、十分なコントラストを有する表示が難しいという問題がある。
【０００４】
また、多孔質板８２の裏電極８３ｂ側にカラーフィルタや黒色板等を配置し、多孔質板８２の表電極８３ａの側に電気浸透液Ｌ５を浸透させて各凹空間８４内に電気浸透液Ｌ５を満たすことにより、表示面において多孔質板８２を通してカラーフィルタや黒色板等の色を表示させ、多孔質板８２の裏電極８３ｂの側に電気浸透液Ｌ５を浸透させて各凹空間８４から電気浸透液Ｌ５を排出することにより、表示面となる多孔質板８２の表面側で光Ｌｅを散乱させて白色表示させる態様とした場合、カラーフィルタや黒色板等の色を表示している状態と白色を表示している状態とで視差が生じるため視認性が悪いという問題がある。
【０００５】
さらに、上記の装置においては、電気浸透液Ｌ５の屈折率と多孔質板８２の屈折率とが略等しい場合でないと十分な性能を発揮することができないため、電気浸透液Ｌ５および多孔質板８２に関しての選択性が狭いという問題がある。
【０００６】
本発明は、上記事情に鑑みてなされたものであり、上記問題を解消した表示装置を提供することを目的とするものである。
【課題を解決するための手段】
【０００７】
本発明による表示装置は、有色の電気浸透液と、電気浸透液と異なる色の材料からなり、電気浸透液が内部の孔に浸透可能な多孔質層と、電気浸透液に電気力を作用させて、多孔質層内において電気浸透液を多孔質層の厚さ方向もしくは厚さ方向と直交する面方向に移動させる浸透液移動手段とを備え、多孔質層の表示面側の電気浸透液が集中している部分では多孔質層が電気浸透液に基づく色に表示され、多孔質層の表示面側の電気浸透液が集中していない部分では多孔質層が多孔質層に基づく色に表示されることを特徴とするものである。
【０００８】
上記において「有色の電気浸透液」とは、無色透明以外のものを意味し、色相のある色を持つものに限らず、黒やグレー等の色相のない色を持つものであってもよい。また、透明であってもよいし、不透明であってもよい。なお、この電気浸透液は着色されたものに限らず、電気浸透液を構成する材料自体が上記のような色を持つものであってもよい。
【０００９】
また、「電気浸透液と異なる色の材料からなり、電気浸透液が内部の孔に浸透可能な多孔質層」とは、無色透明のものも含むものである。なお、この多孔質層は着色されたものに限らず、多孔質層を構成する材料自体が上記のような色を持つものであってもよい。
【００１０】
また、「電気浸透液に基づく色」とは、主として電気浸透液の色を表示すればよく、多孔質層の色の影響を受けた状態であってもよい。
【００１１】
また、「多孔質層に基づく色」とは、主として多孔質層の色もしくは多孔質層の表示面側における光の散乱に起因する白色を表示すればよく、電気浸透液の色の影響を受けた状態であってもよい。
【００１２】
本発明による表示装置において、多孔質層の孔の孔径は、０．１μｍ以上、１０μｍ以下であることが好ましい。なお、上記孔径が０．１μｍ以上、１０μｍ以下であるとは、必ずしも多孔質層における全ての孔の孔径が０．１μｍ以上、１０μｍ以下である場合に限らず、多孔質層において全ての孔のうちの９０％以上の孔の孔径が０．１μｍ以上、１０μｍ以下であればよい。
【００１３】
また、多孔質層の厚さは、１０μｍ以上、２００μｍ以下であることが好ましい。
【００１４】
また、多孔質層は、ニトロセルロース、アセチルセルロース、酢酸セルロース、塩化ビニル、ポリプロピレン、ポリアミド、ポリテトラフルオロエチレン、ポリオレフィン、ポリスルフォン等の有機材料、または、ガラス、アルミナ等の無機材料からなるものとしてもよいし、セルロース系材料、樹脂材料、磁器材料、およびガラス材料のうちのいずれか２つ以上を組み合わせた混合物からなるものとしてもよい。
【００１５】
また、多孔質層は、多孔質層の面方向における互いに異なる位置間で電気浸透液の移動が行えないように構成され、上記互いに異なる位置に対して互いに異なる色の電気浸透液を浸透させてもよく、その場合、上記互いに異なる色は、イエロー、マゼンタ、シアン、黒の組合せ、もしくはレッド、グリーン、ブルーの組合せとすることが好ましい。なお、異なる位置間で電気浸透液の移動が行えないようにするためには、多孔質層の異なる位置間に隔壁を設けるか、または多孔質層を物理的に分離すればよい。
【００１６】
また、浸透液移動手段は、多孔質層の表裏両面のそれぞれに配置された電極と、表裏両面に配置された電極間に電位差を与える電位差付与部とからなるものとしてもよい。ここで「表裏両面」とは、多孔質層の表示面、および、表示面と反対側の面を指す。
【００１７】
また、浸透液移動手段は、多孔質層の面方向における互いに異なる位置に存在する電気浸透液に対して厚さ方向に互いに異なる大きさの電気力を作用させることが可能なものとしてもよい。
【発明の効果】
【００１８】
本発明の表示装置によれば、有色の電気浸透液と、電気浸透液と異なる色の材料からなり、電気浸透液が内部の孔に浸透可能な多孔質層と、電気浸透液に電気力を作用させて、多孔質層内において電気浸透液を多孔質層の厚さ方向もしくは厚さ方向と直交する面方向に移動させる浸透液移動手段とを備え、多孔質層の表示面側の電気浸透液が集中している部分では多孔質層が電気浸透液に基づく色に表示され、多孔質層の表示面側の電気浸透液が集中していない部分では多孔質層が多孔質層に基づく色に表示されるようにしたので、多孔質層の全領域を電気浸透液に基づく色にしたり、多孔質層に基づく色にしたりすることができ、全体として多孔質層へ入射した光の反射、屈折あるいは散乱等の状態を大きく変化させることができるので、従来に比して表示のコントラストを高めることができる。
【００１９】
また、上記の色の変化を多孔質層の表示面側に発生させることにより視差の無い画像を表示することができるため、視認性の良好な画像を表示することができる。
【００２０】
さらに、電気浸透液の屈折率と多孔質層の屈折率とを合わせる必要がないため、電気浸透液および多孔質層に関しての選択性を広げることができる。
【００２１】
本発明による表示装置において、多孔質層の孔の孔径を０．１μｍ以下にすると、多孔質層の毛管力が強くなりすぎて、電気浸透液の移動に大きな電圧が必要になってくる。また、多孔質層の孔の孔径を１０μｍ以上にすると、多孔質層の表示面において光散乱を利用して表示する場合に光散乱が弱くなってしまうため、効果的に表示することができない。そのため、多孔質層の孔の孔径を、０．１μｍ以上、１０μｍ以下とすることにより、多孔質層の特性を良好なものとすることができる。
【００２２】
また、多孔質層の厚さを１０μｍ以下にすると、光が多孔質層を透過してしまい、電気浸透液の移動による表示の変化を効果的に表示することができない。また、多孔質層の厚さを２００μｍ以上にすると、電気浸透液の移動に大きな電圧が必要になり、また、電気浸透液の移動に時間がかかるため、表示のレスポンスが低下する。そのため、多孔質層の厚さを、１０μｍ以上、２００μｍ以下とすることにより、多孔質層の特性を良好なものとすることができる。
【００２３】
また、多孔質層を、ニトロセルロース、アセチルセルロース、酢酸セルロース、塩化ビニル、ポリプロピレン、ポリアミド、ポリテトラフルオロエチレン、ポリオレフィン、ポリスルフォン等の有機材料、または、ガラス、アルミナ等の無機材料からなるものとするか、セルロース系材料、樹脂材料、磁器材料、およびガラス材料のうちのいずれか２つ以上を組み合わせた混合物からなるものとすることにより、多孔質層をより容易に形成することができる。
【００２４】
また、多孔質層を、多孔質層の面方向における互いに異なる位置間で電気浸透液の移動が行えないように構成され、上記互いに異なる位置に対して互いに異なる色の電気浸透液を浸透させることにより、多色表示を行うことができる。こおのとき、上記互いに異なる色を、イエロー、マゼンタ、シアン、黒の組合せ、もしくはレッド、グリーン、ブルーの組合せとすることにより、フルカラー表示を行うことができる。
【００２５】
また、浸透液移動手段を、多孔質層の表裏両面のそれぞれに配置された電極と、表裏両面に配置された電極間に電位差を与える電位差付与部とからなるものとすることにより、確実に電気浸透液に電気力を作用させることができる。
【００２６】
また、浸透液移動手段を、多孔質層の面方向における互いに異なる位置に存在する電気浸透液に対して厚さ方向に互いに異なる大きさの電気力を作用させることが可能なものとすることにより、表示面において、１次元もしくは２次元の画像を表示することができる。
【発明を実施するための最良の形態】
【００２７】
以下、本発明の実施の形態について、図面を用いて説明する。図１は本発明の第１の実施の形態による表示装置の概略構成を示す斜視図、図２は電気浸透液に電気力を作用させるための構成を示す斜視図、図３は上電気浸透液に電気力を作用させるための他の構成を示す図であり、図３（ａ）は上記電気力を作用させるための概略構成を示す斜視図、図３（ｂ）は上記電気力を作用させるためのより詳しい構造を示す斜視図、図３（ｃ）は上記電気力を作用させるための回路構成を示す図、図４は上記表示装置によって表示を行う様子を示す斜視図であり、図４（ａ）は初期状態またはグレーを表示する状態を示す図、図４（ｂ）は黒色を表示する状態等を示す図、図４（ｃ）は白色を表示する状態等を示す図である。
【００２８】
本発明の第１の実施の形態による表示装置１０１は、黒色に着色された電気浸透液Ｌ１と、透明材料からなり、電気浸透液Ｌ１が内部の孔に浸透可能な透明多孔質層１０と、電気浸透液Ｌ１に電気力を作用させて、透明多孔質層１０内において電気浸透液Ｌ１を透明多孔質層１０の厚さ方向（図中矢印Ｚ方向）に移動させる浸透液移動手段３０とを備えている。
【００２９】
この表示装置１０１は、表示面側に照明光Ｌａの照射を受けて表示が行われるものであり、透明多孔質層１０の表示面側１０ａに電気浸透液Ｌ１が集中しているときに、装置１０１の表示面において電気浸透液Ｌ１の色である黒色が表示され、透明多孔質層１０の非表示面側１０ｂに電気浸透液Ｌ１が集中しているときに、装置１０１の表示面において透明多孔質層１０の表示面１０ａ側における照明光Ｌａの散乱に起因する白色が表示されるものである。
【００３０】
浸透液移動手段３０は、透明多孔質層１０の表裏両面のそれぞれに配置された表電極３１ａおよび裏電極３１ｂと、表電極３１ａと裏電極３１ｂとの間に電位差を与える電位差付与部３５とからなり、透明多孔質層１０の厚さ方向（図中矢印Ｚ方向）へ電界を形成して電気浸透液Ｌ１に電気力を作用させる。なお表電極３１ａは透明多孔質層１０の表示面１０ａ側に配置され裏電極３１ｂは透明多孔質層１０の非表示面１０ｂ側に配置されている。
【００３１】
上記透明多孔質層１０の表示面１０ａ側に配置された直線状に延びる複数の表電極３１ａ、および透明多孔質層１０の非表示面１０ｂ側に配置された直線状に延びる複数の裏電極３１ｂは、透明多孔質層１０を間に挟んで上記直線状に延びる方向が互いに直交するように格子状に配置されており、表電極３１ａおよび裏電極３１ｂは板状の表電極部３０ａおよび裏電極部３０ｂのそれぞれに配設されて透明多孔質層１０上に配置されている（図２参照）。
【００３２】
上記各電極には、例えば、Ｉｎ２Ｏ３−ＳｎＯ２（ＩＴＯ）あるいはＺｎＯなどの透明材料からなる電極を採用することができる。また、裏電極３１ｂには、Ｎｉ、Ａｌ、Ｐｔ、Ａｇ、あるいは黒鉛などの不透明材料からなる電極を採用することができる。上記電極は、例えば薄膜形成法、より具体的にはスパッタリング等によって２００ｎｍ程度の厚さに形成すればよい。
【００３３】
浸透液移動手段３０は、面方向（図中矢印ＸＹ平面方向）に広がる領域における互いに異なる位置に存在する電気浸透液Ｌ１に対して厚さ方向（図中矢印Ｚ方向）に互いに異なる大きさの電気力を作用させることが可能であり、この浸透液移動手段３０には、透明多孔質層１０に対して格子状に配置された表電極３１ａおよび裏電極３１ｂを介して互いに異なる位置に存在する電気浸透液Ｌ１に対して互いに異なる大きさの電気力を作用させるパッシブ駆動方式が採用されている。上記厚さ方向に直交する面内における互いに異なる位置は、表電極３１ａと裏電極３１ｂとが格子状に交差している位置であり、例えば、図１中の位置（１，１）、位置（２，１）、位置（３，１）、位置（１，２）、位置（２，２）、位置（３，２）等で示される位置である。
【００３４】
なお、上記浸透液移動手段には上記駆動方式とは異なる方式を採用することもでき、例えば、図３（ａ）から図３（ｃ）に示すように、透明多孔質層１０の一面側（例えば、表示面１０ａ側）に、マトリクス状に配置された、それぞれが薄膜トランジスタ３４（ＴＦＴトランジスタ）に接続された多数の電極３５を有する電極部３３を配置し、透明多孔質層１０の他面側を接地して、各薄膜トランジスタ３４の駆動により各電極３５を介して互いに異なる位置に存在する電気浸透液Ｌ１に対して互いに異なる電気力を作用させるアクティブ駆動方式を採用することもできる。
【００３５】
上記のような浸透液移動手段の採用により、表示装置の表示面の任意の位置に白色または黒色を表示させることができ、この装置により、例えば、文字、図形等の静止画像や動画像を表示することができる。
【００３６】
上記電気浸透液Ｌ１は、電気浸透性の液体とインクとを混合したものであり、電気浸透性の液体としては、例えば、屈折率１．５１のジメチルトリフェニルトリメトキシシロキサン等を用いることができる（特開昭６０−６９２８および特開平５−２４６０２１参照）。本実施の形態において電気浸透液Ｌ１は、ジメチルトリフェニルトリメトキシシロキサンと黒色インクとを混合したものを用いた。なお、インクの色については黒色に限らず、何色でもよい。
【００３７】
透明多孔質層１０には、透明樹脂材料から成るマイクロポーラスメンブレンフィルタを用いることが好ましく、上記透明樹脂材料としては、塩化ビニル、ポリプロピレン、ポリアミド、ポリテトラフルオロエチレン、ポリオレフィン、ポリスルフォン等を採用することができる。その他、例えば、セルロース系材料であるニトロセルロース、アセチルセルロース、酢酸セルロースを採用したり、アルミナ等の磁器材料やガラス等を採用することができ、さらには、上記樹脂材料、セルロース系材料、ガラス材料、磁器材料のうちのいずれか２つ以上を組み合わせた混合物からなるものを採用することもできる。本実施の形態において透明多孔質層１０は、マイクロポーラスアセチルセルロースを用いた。なお、屈折率については、必ずしも電気浸透液の屈折率と整合させる必要はない。また、本実施の形態においては透明多孔質層１０は無色透明とするが、必ずしも透明である必要はない。
【００３８】
透明多孔質層１０において、上記表電極３１ａと裏電極３１ｂとの間に電位差が与えられていないときには、電気浸透液Ｌ１は、透明多孔質層１０内に形成された複数の孔の毛管力によって、透明多孔質層１０内の全体に浸透して安定する。この毛管力は、以下の式で表すことができる。
【００３９】
Ｐ＝（２σｃｏｓθ）／ｒ
ここで、
Ｐ：毛管力（Ｐａ）
σ：表面張力（Ｎ／ｍ）
θ：液体と毛管内壁の接触角（度）
ｒ：毛管の半径（ｍ０）
なお、上記透明多孔質層１０の孔の孔径、および着色多孔質層２０の孔の孔径は、０．１μｍ以上、１０μｍ以下であることが好ましく、０．１μｍ以上、５μｍ以下であることがより好ましい。なぜなら、透明多孔質層１０の孔の孔径を０．１μｍ以下にすると、透明多孔質層１０の毛管力が強くなりすぎて、電気浸透液Ｌ１の移動に大きな電圧が必要になってくる。また、透明多孔質層１０の孔の孔径を１０μｍ以上にすると、透明多孔質層１０の表示面１０ａにおいて光散乱を利用して表示する場合に光散乱が弱くなってしまうため、効果的に表示することができない。
【００４０】
また、透明多孔質層１０の厚さは、１０μｍ以上、２００μｍ以下とすることが好ましい。なぜなら、透明多孔質層１０の厚さを１０μｍ以下にすると、照明光Ｌａが透明多孔質層１０を透過してしまい、電気浸透液Ｌ１の移動による表示の変化を効果的に表示することができない。また、透明多孔質層１０の厚さを２００μｍ以上にすると、電気浸透液Ｌ１の移動に大きな電圧が必要になり、また、電気浸透液Ｌ１の移動に時間がかかるため、表示のレスポンスが低下するからである。
【００４１】
次に、上記第１の実施の形態の表示装置の作用について説明する。
【００４２】
電位差付与部３５が透明多孔質層１０に電位差を付与していない初期状態のときには、図４（ａ）に示すように、毛管力により電気浸透液Ｌ１が透明多孔質層１０内の全体に分散して浸透し、透明多孔質層１０が黒色に着色された電気浸透液Ｌ１の影響を受けて半透明な状態となっている。この状態で、照明光Ｌａが透明多孔質層１０の表示面１０ａ側に照明されると、グレーが表示される。
【００４３】
次に、黒色を表示する場合には、図４（ｂ）に示すように、電位差付与部３５により表電極３１ａと裏電極３１ｂの間に表電極３１ａ側が−となるような電位差を付与する。例えば、上記電位差が付与された図４（ｂ）中の位置（１，１）、位置（３、１）に対応する透明多孔質層１０には厚さ方向に電界が形成され、透明多孔質層１０中の電気浸透液Ｌ１への電気力の作用により電気浸透液Ｌ１が透明多孔質層１０の表示面１０ａ側へ集中して移動する。これにより、位置（１，１）および位置（３、１）においては、電気浸透液Ｌ１に対して着色された色である黒色が表示される。一方、上記表電極３１ａと裏電極３１ｂの間に電位差が付与されなかった位置、例えば、図４（ｂ）中の位置（２，１）、位置（１、２）、位置（２、２）、位置（３、２）においては電気浸透液Ｌ１の移動は起こらないため、グレーが表示される。
【００４４】
次に、再び表示面の全面をグレーに表示する場合には、電位差付与部３５による表電極３１ａと裏電極３１ｂの間への電位差の付与を停止する（電位差を０にする）、電位差の付与の停止により、透明多孔質層１０の表示面１０ａ側に集中していた電気浸透液Ｌ１が毛管力により透明多孔質層１０の全体に浸透するため、上記と同様に表示面がグレーに表示される（図４（ａ）参照）。
【００４５】
また、白色を表示する場合には、図４（ｃ）に示すように、電位差付与部３５により表電極３１ａと裏電極３１ｂの間に裏電極３１ｂ側が−となるような電位差を付与する。例えば、上記電位差が付与された図４（ｃ）中の位置（１，１）、位置（３、１）に対応する透明多孔質層１０には厚さ方向に電界が形成され、透明多孔質層１０中の電気浸透液Ｌ１への電気力の作用により電気浸透液Ｌ１が透明多孔質層１０の非表示面１０ｂ側へ集中して移動する。これにより、位置（１，１）および位置（３、１）においては、照明光Ｌａが無色透明な透明多孔質層１０で散乱されて透明多孔質層１０が不透明な白色として表示される。
【００４６】
このように、電位差付与部３５による上記電位差の付与により表示装置１０１の表示を様々に変更することができる。
【００４７】
次に、本発明の第２の実施の形態による表示装置について説明する。図５は本実施の形態の表示装置を示す側面図である。
【００４８】
本実施の形態の表示装置１０２は、第１の実施の形態の表示装置１０１において、カラー表示が可能となるように改良したものであり、図５（ａ）および図５（ｂ）に示すように、透明多孔質層１０の厚さ方向に直交する面内における互いに異なる位置（１）、位置（２）、位置（３）、位置（４）を個別に仕切る厚さ方向に延びる隔壁４１を設け、これらの隔壁４１で電気浸透液の通過を禁止しており、さらに、各位置（１）、位置（２）、位置（３）、位置（４）に対して互いに異なる色、すなわち、イエロー（Ｙ）、マゼンタ（Ｍ）、シアン（Ｃ）、黒（Ｋ）に着色された電気浸透液ＬＹ、ＬＭ、ＬＣ、ＬＫを浸透させている。上記厚さ方向に直交する面内における互いに異なる位置（１）、位置（２）、位置（３）、位置（４）は、電位差付与部３５が、電気浸透液Ｌ１に対して互いに異なる電気力を作用させることが可能な位置である。その他の構成は上記表示装置１０１と同様であり、以下の説明において上記表示装置１０１と同様の構成については同じ符号を使用し説明を省略する。
【００４９】
次に、上記表示装置１０２の作用について説明する。
【００５０】
装置の表示面全体を白色に表示する場合には、電位差付与部３５により表電極３１ａと裏電極３１ｂの間に裏電極３１ｂ側が−となるような電位差を付与することにより、図５（ａ）に示すように、透明多孔質層１０中の各位置の電気浸透液ＬＹ、ＬＭ、ＬＣ、ＬＫへの電気力の作用により電気浸透液ＬＹ、ＬＭ、ＬＣ、ＬＫが透明多孔質層１０の非表示面１０ｂ側へ集中して移動するため、照明光が無色透明な透明多孔質層１０で散乱されて透明多孔質層１０が不透明な白色として表示される。
【００５１】
次に、例えば、イエロー（Ｙ）とシアン（Ｃ）とを表示する場合には、図５（ｂ）に示すように、電位差付与部３５により透明多孔質層１０におけるイエロー（Ｙ）とシアン（Ｃ）の対応位置である位置（１）、位置（３）において表電極３１ａと裏電極３１ｂの間に表電極３１ａ側が−となるような電位差を付与する。上記電位差の付与により位置（１）、位置（３）において透明多孔質層１０の厚さ方向に電界が形成され、位置（１）、位置（３）中の電気浸透液ＬＹ、ＬＣへの電気力の作用により電気浸透液ＬＹ、ＬＣが透明多孔質層１０の表示面１０ａ側へ集中して移動するため、位置（１）においては電気浸透液ＬＹに対して着色された色であるイエローが表示され、位置（３）においては電気浸透液ＬＣに対して着色された色であるシアンが表示される。ここで、マゼンタ（Ｍ）および黒（Ｋ）の対応位置である位置（２）および位置（４）においては電位差を変更していないので白く表示されたままである。
【００５２】
次に、再び上記位置（１）、位置（３）に白色を表示する場合には、電位差付与部３５により位置（１）、位置（３）において表電極３１ａと裏電極３１ｂの間に裏電極３１ｂ側が−となるような電位差を付与する。これにより、上記位置（１）、位置（３）が白色に表示される（図５（ａ）参照）。
【００５３】
なお、上記第１および第２の実施の形態においては、多孔質層の厚さ方向に電界を形成して、該方向に電気浸透液を移動させるようにしたが、図６（ａ）、（ｂ）に示すように、透明多孔質層１０の表示面１０ａ側に第１電極３１ｃおよび第２電極３１ｄを形成し、電位差付与部３５により第１電極３１ｃと第２電極３１ｄとの間に電位差を与えることにより面方向に電界を形成して、該方向に電気浸透液を移動させるようにしてもよい。
【図面の簡単な説明】
【００５４】
【図１】本発明の第１の実施の形態による表示装置の概略構成を示す斜視図
【図２】電気浸透液に電気力を作用させる構成を示す斜視図
【図３】電気浸透液に電気力を作用させる他の構成を示す図
【図４】表示装置によって表示を行う様子を示す斜視図
【図５】第２の実施の形態の表示装置の概略構成を示す側面図
【図６】本発明による表示装置のさらに異なる態様を示す側面図
【図７】従来の表示装置の概略構成を示す側面図
【符号の説明】
【００５５】
１０    透明多孔質層
３０    浸透液移動手段
４１    隔壁
１０１、１０２    表示装置
Ｌ１    電気浸透液
ＬＹ、ＬＭ、ＬＣ、ＬＫ    電気浸透液
【図１】
2005115052.tif 000003
【図２】
2005115052.tif 000004
【図３】
2005115052.tif 000005
【図４】
2005115052.tif 000006
【図５】
2005115052.tif 000007
【図６】
2005115052.tif 000008
【図７】
2005115052.tif 000009